(57)【特許請求の範囲】
【請求項１】
長矩形状の基板と、この基板の上面に取付けられ、表面に７つの発光セグメントが８の字状に配列された板状の反射ケースとを備え、各発光セグメントは、上記反射ケースに設けられたセグメント窓孔と、上記基板上に形成された導電配線部に各セグメント窓孔と対応させてボンディングされたＬＥＤ発光素子とを含んで形成されており、かつ、上記基板の長手方向端縁部において、上記導電配線部に導通して外部接続を図るための複数の個別端子部およびコモン端子部が上記基板の裏面側にパッド状に膜形成されているＬＥＤ数字表示器であって、
上記７つの発光セグメントのうち、これら７つの発光セグメントの配列の中央点を対称中心として互いに点対称の位置関係にある２つの発光セグメントの個別端子部どうしが、上記基板の中心に対して点対称に配置されているとともに、
８の字状の配列の中央に位置する発光セグメントの個別端子部と各発光セグメントのコモン端子部とのそれぞれは、複数ずつ設けられ、かつこれらの端子部は上記基板の中心に対して互いに点対称に配置されており、
上記コモン端子部に導通する導電配線部は、上記７つの発光セグメントのうち、中央に位置するものを含む４つに対しては点対称に配置されている上記コモン端子部の一方に共通して導通し、残りの３つに対しては点対称に配置されている上記コモン端子部の他方に共通して導通するように設けられていることを特徴とする、ＬＥＤ数字表示器。
【請求項２】
上記基板の長手方向両端縁部にそれぞれ形成されたコモン端子部どうしは、上記基板の裏面において導電配線部によって互いに導通させられている、請求項１に記載のＬＥＤ数字表示器。
【発明の詳細な説明】
【０００１】
【技術分野】
本願発明は、ＬＥＤ発光素子を用いた発光セグメントによって所望の数字を表示できるようにしたＬＥＤ数字表示器に関する。
【０００２】
【従来の技術】
従来、この種のＬＥＤ数字表示器としては、たとえば図８に示すようなものがある。この従来のものは、一定厚みの矩形箱状反射ケース２ｅの表面に、７つの棒状の発光セグメント９を８の字状に配列したものである。また、上記反射ケース２ｅの裏面側には、各発光セグメント９を構成するＬＥＤ発光素子（図示略）のそれぞれに電流供給を行うためのリードピンで構成された複数本の個別端子部８０と、グランド用のコモン端子部８１とが適当に配列して設けられている。
【０００３】
ＬＥＤ数字表示器としては、たとえば図９に示すように、ドットポイント９０を有するいわゆる８セグメントＬＥＤと称されるタイプのものもあるが、携帯電話機や無線機などのディスプレイとして使用されるＬＥＤ数字表示器では、小数点を示すためのドットポイント９０を設ける必要はない。したがって、携帯電話機などにおいては、上記図８に示した７セグメントタイプのＬＥＤ数字表示器が広く使用されている。
【０００４】
【発明が解決しようとする課題】
上記図８に示した構成のＬＥＤ数字表示器では、発光セグメント９によって構成される８の字の形状が上下点対称（より厳密には８の字の中央点を対称中心として全体が点対称）であり、上記ＬＥＤ数字表示器を矢印ａ１方向に沿って１８０度回転させても、発光セグメント９の８の字形状自体は何ら変わらない。これに対し、複数の端子部８０，８１の位置については、対称性はなく、ＬＥＤ数字表示器を上記方向に１８０度回転させると、その位置が元の位置とは相違する。すなわち、たとえばコモン端子部８１は、ＬＥＤ数字表示器の１８０度の回転によって、符号Ｎで示す位置に移動してしまい、本来の端子部の位置とは異なった位置に配置される。したがって、ＬＥＤ数字表示器をたとえばマザーボードに実装する場合には、複数の端子部８０，８１のそれぞれをマザーボードに予め形成されている電極の配置と一致させるように、ＬＥＤ数字表示器の上下方向を考慮する必要がある。
【０００５】
しかしながら、既述したとおり、上記ＬＥＤ数字表示器の表面に設けられている８の字状の発光セグメント９は上下点対称であり、この発光セグメント９の８の字形状を見ただけでは、ＬＥＤ数字表示器の上下方向を判別することは困難である。したがって、従来では、ＬＥＤ数字表示器を所望の部位へマウントする場合に、その上下方向を誤ることに原因し、所望の部位へのマウントが困難となったり、あるいは各端子部への電気導通が不良な状態にマウントしてしまうといった虞れがあった。
【０００６】
また、従来では、たとえば図１０に示すように、ＬＥＤ数字表示器の表面の上縁部または下縁部にマーキング９１を施すことにより、ＬＥＤ数字表示器を正面から見た場合にその上下方向が認識できるようにする手段も採用されている。ところが、このような手段では、マーキング９１を行うためのスペースをＬＥＤ数字表示器に設ける必要があり、ＬＥＤ数字表示器の小型化を図る上で、有利でない。
【０００７】
さらに、上記のようなマーキング９１を設けた場合であっても、ＬＥＤ数字表示器のテーピングやマウント作業時などにおいて、常にＬＥＤ数字表示器の方向性を考慮した慎重な取り扱いを行う必要がある。具体的には、ＬＥＤ数字表示器を所望のパレットに収容するような場合には、このパレットに収容する全てのＬＥＤ数字表示器の上下方向を揃える必要がある他、上記パレット自体の上下方向をも区別できるように配慮する必要がある。また同様に、自動マウンタによってＬＥＤ数字表示器のマウント作業を行う場合には、自動マウンタへのＬＥＤ数字表示器のセッティングに際して、これらＬＥＤ数字表示器の方向を揃える必要がある。このように、結局、従来では、ＬＥＤ数字表示器の製造した後、このＬＥＤ数字表示器のマウント作業を実際に完了するまでの間の一連の取り扱いが非常に面倒なものとなり、それらの各作業の作業効率が非常に悪くなるという不具合もあった。
【０００８】
本願発明は、このような事情のもとで考え出されたものであって、ＬＥＤ数字表示器のマウント作業やその他の取り扱いに時においてＬＥＤ数字表示器の上下方向を考慮する必要を無くし、ＬＥＤ数字表示器の取り扱いの容易化、ならびにＬＥＤ数字表示器の上下方向の誤りに原因するマウント不良の防止が図れるようにすることをその課題としている。
【０００９】
【発明の開示】
上記の課題を解決するため、本願発明では、次の技術的手段を講じている。
【００１０】
すなわち、本願発明は、長矩形状の基板と、この基板の上面に取付けられ、表面に７つの発光セグメントが８の字状に配列された板状の反射ケースとを備え、各発光セグメントは、上記反射ケースに設けられたセグメント窓孔と、上記基板上に形成された導電配線部に各セグメント窓孔と対応させてボンディングされたＬＥＤ発光素子とを含んで形成されており、かつ、上記基板の長手方向両端縁部において、上記導電配線部に導通して外部接続を図るための複数の個別端子部およびコモン端子部が上記基板の裏面側にパッド状に膜形成されているＬＥＤ数字表示器であって、上記７つの発光セグメントのうち、これら７つの発光セグメントの配列の中央点を対称中心として互いに点対称の位置関係にある２つの発光セグメントの個別端子部どうしが、上記基板の中心に対して点対称に配置されているとともに、８の字状の配列の中央に位置する発光セグメントの個別端子部と各発光セグメントのコモン端子部とのそれぞれは、複数ずつ設けられ、かつこれらの端子部は上記基板の中心に対して互いに点対称に配置されており、上記コモン端子部に導通する導電配線部は、上記７つの発光セグメントのうち、中央に位置するものを含む４つに対しては点対称に配置されている上記コモン端子部の一方に共通して導通し、残りの３つに対しては点対称に配置されている上記コモン端子部の他方に共通して導通するように設けられていることを特徴としている。
【００１１】
本願発明においては、８の字状に配列された複数の発光セグメントのうち、互いに点対称の位置関係にある２つの発光セグメントの個別端子部どうしが点対称に配置されているために、ＬＥＤ数字表示器を上下１８０度反転させても、上記発光セグメントとこれら発光セグメントに対応する個別端子部との位置関係には何ら変化はなく、これら発光セグメントと個別端子部との配置関係は、実質的には反転前の元の配置関係と同一である。また、８の字状の配列の中央に位置する発光セグメントの個別端子部と各発光セグメントのコモン端子部とのそれぞれは、複数ずつ設けられ、かつこれらの端子部は互いに点対称に配置されているために、やはりＬＥＤ数字表示器を上下１８０度反転させた場合に、これら中央の発光セグメント、この中央の発光セグメントの個別端子部、およびコモン端子部のそれぞれの配置は、実質的には元の配置と同一となる。
【００１２】
以上より、結局、本願発明では、ＬＥＤ数字表示器を上下方向を問わずにマウント可能なものとすることができる。したがって、従来とは異なり、ＬＥＤ数字表示器をマウントする場合に、その上下方向を逆にすることに原因して、そのマウント作業が困難となったり、あるいは端子部への電気導通が不良なままマウントされてしまうといった不具合を適切に解消することができる。
【００１３】
また、本願発明では、ＬＥＤ数字表示器のテーピングやマウント作業などを行う場合に、ＬＥＤ数字表示器の上下方向を考慮する必要はない。したがって、ＬＥＤ数字表示器の一連の取り扱いも容易なものにできて、ＬＥＤ数字表示器を取り扱う各種の作業効率を高めることができるという利点も得られる。さらに、ＬＥＤ数字表示器の表面に上下方向を区別するためのマーキングを施す必要もなくなり、ＬＥＤ数字表示器の小型化などを図る観点からしても有利である。
【００１４】
本願発明においてはまた、上記各端子部は、ＬＥＤ数字表示器の基板の裏面へパッド状に膜形成されている構成としている。このような構成によれば、ＬＥＤ数字表示器を所望のマウント位置へ面実装可能なものとすることができる。なお、このような面実装タイプのＬＥＤ数字表示器は、リードピンを備えたタイプのＬＥＤ数字表示器とは異なり、その方向性を問うことなく所望の部位へマウントすることが可能であって、上下方向を誤ってマウントする可能性が高いために、上下方向を問わずに各端子部への適切な電気導通を可能とする本願発明は、上記のような面実装タイプのＬＥＤ数字表示器を構成する場合に最適である。
【００１５】
【発明の実施の形態】
以下、本願発明の好ましい実施の形態について、図面を参照しつつ具体的に説明する。
【００１６】
図１は、本願発明に係るＬＥＤ数字表示器Ａの一例を示す正面図である。図２は、その側面図である。図３は、図１のＸ−Ｘ線要部拡大断面図である。
【００１７】
図１および図２において、このＬＥＤ数字表示器Ａは、基板１と、この基板１の上面に取付けられた板状の反射ケース２とを具備して構成されている。
【００１８】
上記板状の反射ケース２の表面（上面）には、７つの棒状の発光セグメント３ａ〜３ｇが８の字状に配列して設けられている。これら発光セグメント３ａ〜３ｇのそれぞれは、図３に示すように、反射ケース２に設けられたセグメント窓孔３０と、このセグメント窓孔３０に臨むようにして基板１上にボンディングされたＬＥＤ発光素子３１と、セグメント窓孔３０内に充填して熱硬化されたエポキシ樹脂などの透明樹脂３２とによって構成されている。
【００１９】
上記反射ケース２は、ＬＥＤ発光素子３１から発せられる光がセグメント窓孔３０の内面で効率的に乱反射するように白色樹脂で形成されているが、この反射ケース２の表面は、暗色系の塗装が施されて発光セグメント３ａ〜３ｇのそれぞれが目だつように構成される。また、この反射ケース２の表面には、ハーフミラー４を設けてもよい。このハーフミラー４としては、たとえば透明な合成樹脂シートの表面にアルミニウムや銀、クロムなどを所定厚みに蒸着したものを用いることができる。このような構成によれば、ＬＥＤ発光素子３１から発せられる光がセグメント窓孔３０から直接外部へ放出される割合を減じることができ、ＬＥＤ発光素子３１が小さな輝点として見えることを解消し、セグメント窓孔３０の全体を均等に輝やかせることができる。
【００２０】
図４は、上記基板１の正面図である。図５は、その背面図である。
【００２１】
図５に示すように、上記基板１の裏面の上下両側縁部１ａ，１ｂには、パッド状の端子部５ａ〜５ｈが銅箔などによって膜形成されている。また、図４に示すように、上記基板１の表面には、上記端子部５ａ〜５ｈに導通する１次電極としての複数の導電配線部６が、銅箔などの導体エッチングによって形成されている。これら導電配線部６と上記端子部５ａ〜５ｈとは、２次電極としてのピンホール状の導電部８を介してそれぞれ個々に繋がっている。すなわち、基板１の上下両側縁部１ａ，１ｂには、複数の半円状の凹部を形成する突起部７が設けられているとともに、これら突起部７の側面には導電ペーストを塗布焼成した導電部８が形成されている。
【００２２】
上記端子部５ａ〜５ｈのうち、端子部５ａ〜５ｇは、ＬＥＤ発光素子３１への電力供給用の個別端子部であり、これらの個別端子部５ａ〜５ｇにそれぞれ導通する導電配線部６にＬＥＤ発光素子３１がボンディングされている。なお、個別端子部５ｇは、基板１の上下両側縁部１ａ，１ｂのそれぞれに配置され、計２箇所設けられている。そして、これら２つの個別端子部５ｇ，５ｇの双方に導通する導電配線部６ｇには、８の字配列の中央に位置する発光セグメント３ｇのＬＥＤ発光素子３１がボンディングされている。したがって、この中央の発光セグメント３ｇのＬＥＤ発光素子３１については、上記２つの個別端子部５ｇ，５ｇのいずれか一方に電圧を印加すれば発光駆動させることができる。
【００２３】
一方、端子部５ｈは、各ＬＥＤ発光素子３１のグランド用のコモン端子部である。このコモン端子部５ｈも、上記個別端子部５ｇ，５ｇと同様に、基板１の上下両側縁部１ａ，１ｂのそれぞれに配置されて、計２箇所設けられている。そして、これら２つのコモン端子部５ｈ，５ｈに導通する導電配線部６ｈ，６ｈには、各ＬＥＤ発光素子３１を接地させるためのワイヤＷがボンディングされている。なお、これら２つのコモン端子部５ｈ，５ｈは、図５に示すように、基板１の裏面に形成された導電配線部６Ａを介して相互に導通している。したがって、これらコモン端子部５ｈ，５ｈのいずれか一方について導通をとれば、全てのＬＥＤ発光素子３１を接地させることが可能である。
【００２４】
上述した計１０個の端子部５ａ〜５ｈは、基板１の上下両側縁部１ａ，１ｂに計５個ずつ並べて設けられているが、その具体的な配置態様は、次のようになっている。
【００２５】
すなわち、グランド用の２つのコモン端子部５ｈ，５ｈは、基板１の上下両側縁部１ａ，１ｂのそれぞれにおいて、基板幅方向の中央位置へ設けられている。これにより、これら２つのコモン端子部５ｈ，５ｈは、ＬＥＤ数字表示器Ａの表面の中央点Ｐを中心として、点対称の配置関係となっている。また、８の字配列の中央に位置する発光セグメント３ｇに対応する２つの電力供給用の個別端子部５ｇ，５ｇについても、基板１の上下両側縁部１ａ、１ｂにそれぞれ振り分けられており、上記中央点Ｐを中心として、これら個別端子部５ｇ，５ｇどうしが互いに点対称となるように配置されている。
【００２６】
さらに、他の電力供給用の個別端子部５ａ〜５ｆについては、発光セグメント３ｇを除く計６つの発光セグメント３ａ〜３ｈのうち、上記中央点Ｐを対称中心として互いに点対称の位置関係にある２つの発光セグメントの個別端子部どうしが、上記中央点Ｐを中心として互いに点対称となるように配置されている。具体的には、８の字の上辺と下辺に相当する２つの発光セグメント３ａ，３ｄは、上記中央点Ｐを中心として互いに対称な位置関係にあるが、これら発光セグメント３ａ，３ｄに対応する個別端子部５ａ，５ｄは、上記中央点Ｐを中心として点対称の配置となっている。また同様に、互いに対称な位置関係にある発光セグメント３ｂ，３ｅに対応する個別端子部５ｂ，５ｅどうし、ならびに発光セグメント３ｃ，３ｆに対応する個別端子部５ｃ，５ｆどうしも、それぞれ上記中央点Ｐを中心とする点対称の配置関係となっている。
【００２７】
上記構成のＬＥＤ数字表示器Ａは、その裏面に複数の端子部５ａ〜５ｈがパッド状に膜形成されているために、たとえばマザーボードなどに対して面実装することができる。このような面実装を行う場合、上記ＬＥＤ数字表示器Ａは、その発光セグメント３ａ〜３ｇが上下点対称な８の字状に配列されていることに原因し、これらの発光セグメント３ａ〜３ｇを見ただけでは上下の判別ができないために、図１に示す姿勢から矢印ａ方向に１８０度回転させて、図６に示すように上下反転させてしまう場合がある。
【００２８】
ところが、図６に示すＬＥＤ数字表示器Ａの上下反転状態では、まず２つずつ設けられているグランド用のコモン端子部５ｈ，５ｈどうし、および８の字配列の中央に位置する発光セグメント３ｇに対応する電力供給用の個別端子部５ｇ，５ｇどうしの配置が、先の図１で示した上下反転前のＬＥＤ数字表示器Ａの配置関係と実質的に同一である。これらコモン端子部５ｈ，５ｈどうし、ならびに個別端子部５ｇ，５ｇどうしは、ＬＥＤ数字表示器Ａ表面の特定の一点（中心点Ｐ）を中心として点対称の位置関係にあるからである。
【００２９】
また、同様な理由により、他の個別端子部５ａ〜５ｆについては、互いに点対称な２つの個別端子部５ａ，５ｄどうし、個別端子部５ｂ，５ｅどうし、および個別端子部５ｃ，５ｆどうしが、それぞれ入れ替わった配置となる。その一方、上記個別端子部５ａ，５ｄに対応する２つの発光セグメント３ａ，３ｄどうし、個別端子部５ｂ，５ｅに対応する発光セグメント３ｂ，３ｅどうし、および個別端子部５ｃ，５ｆに対応する発光セグメント３ｃ，３ｆどうしも、その配置が入れ替わることとなるが、これらは互いに点対称な位置に入れ替わるだけに過ぎない。
【００３０】
したがって、８の字に配列されている７つの発光セグメント３ａ〜３ｇのいずれか所望の発光セグメントを発光させる場合に、電気導通を行わせるための端子部の位置自体は、図１示す反転前と図６に示す反転後とでは、実質的に何ら変わらず、同一の位置となる。すなわち、たとえば８の字の上辺を構成する発光セグメントを発光させる場合には、図１に示す上下反転前の場合には、個別端子部５ａに電力供給を行う必要があるのに対し、図６に示す上下反転後の場合には、個別端子部５ｄに電力供給を行う必要があるが、これら図１に示す個別端子部５ａと図６に示す個別端子部５ｄの位置は、実質的に同一である。
【００３１】
以上のように、結局、上記ＬＥＤ数字表示器Ａは、計７つの発光セグメント３ａ〜３ｇによって所望の数字を表示させる場合に、図１に示す反転前と図６に示す反転後のいずれの場合であっても、グランド配線対象となる端子部、ならびに電力供給対象となる端子部の位置は同一となり、その上下方向を問わないものとなる。その結果、上記ＬＥＤ数字表示器Ａを上下逆さまにマウントすることによって、その電気配線に導通不良が生じるといった不具合は無い。また、このようにＬＥＤ数字表示器Ａの上下方向を問わないものにできれば、ＬＥＤ数字表示器Ａの製造後におけるテーピングやパレット詰めなどの各種の取扱い時に、このＬＥＤ数字表示器Ａの上下方向を考慮した取扱いを行う必要も無くなり、取扱いが容易となる。むろん、上記ＬＥＤ数字表示器Ａに、上下方向を区別するためのマーキングをわざわざ施す必要もない。
【００３２】
図７は、本願発明に係るＬＥＤ数字表示器Ａａの他の例を示す正面図である。このＬＥＤ数字表示器Ａａは、８の字状の２つの７セグメントＢ，Ｂａを表面に並べて、１個のＬＥＤ数字表示器Ａａによって２桁の数字表示が行えるようにしたものである。
【００３３】
このＬＥＤ数字表示器Ａａでは、上記７セグメントＢ，Ｂａのそれぞれを構成する計７つずつの発光セグメント３ａ〜３ｇ，３ａ’〜３ｇ’、これらへの電力供給用の個別端子部５ａ〜５ｇ，５ａ’〜５ｇ’、およびグランド用のコモン端子部５ｈ，５ｈ’のそれぞれの配置は、図１〜図６で説明した先のＬＥＤ数字表示器Ａにおける発光セグメント３ａ〜３ｇ、電圧印加用の個別端子部５ａ〜５ｇ、およびグランド用のコモン端子部５ｈの配置と同様である。
【００３４】
上記ＬＥＤ数字表示器Ａａにおいても、先のＬＥＤ数字表示器Ａと同様に、このＬＥＤ数字表示器Ａａを矢印ａ方向に１８０度回転させて、その上下を反転させた場合に、発光セグメント３ａ〜３ｇ，３ａ’〜３ｇ’のそれぞれの配置と、電圧印加用の個別端子部５ａ〜５ｇ，５ａ’〜５ｇ’、およびグランド用のコモン端子部５ｈ，５ｈ’のそれぞれの配置との関係は、反転前の位置関係と実質的に同一となる。したがって、やはり上下方向の方向性を問わないものとなる。
【００３５】
このように、本願発明では、１つのＬＥＤ数字表示器に設けられる８の字状の配列個数、すなわち、７セグメントの具体的な数は限定されない。本願発明では、既述したように、１組または２組の７セグメントを有するＬＥＤ数字表示器として構成できる他、７セグメントを３組あるいはそれ以上有するものとして構成してもよい。したがって、本願発明では、発光セグメントの具体的な数も限定されない。
【００３６】
また、上記実施の形態では、個別端子部を電流供給用の端子部とし、コモン端子部をグランド用の端子部としたが、本願発明はこれに限定されない。本願発明では、上記とは逆に、コモン端子部に電力供給を行いつつ、個別端子部を随時グランド接続させることによって、所望の位置の発光セグメントを発光駆動させるようにしてもよいことは言うまでもない。
【００３７】
さらに、本願発明は、個別端子部やコモン端子部の具体的な配置態様も、決して上述した実施の形態のものに限定されず、その具体的な配置態様は種々に変更自在である。要は、８の字状の配列の中央点（この中央点は必ずしもＬＥＤ数字表示器表面の中心点と一致する必要はない）を対称中心として互いに点対称の位置関係にある２つの発光セグメントの個別端子部どうしが、点対称に配置されていればよい。また、上記８の字状配列の中央に位置する発光セグメントの個別端子部と各発光セグメントのコモン端子部とのそれぞれは複数ずつ設けられて、互いに点対称に配置されていればよい。これら端子部どうしの対称中心は、好ましくは、ＬＥＤ数字表示器表面の中央点が好ましいが、本願発明は必ずしもこの位置に限定されない。本願発明では、上記複数の端子部は、いずれか任意に選定された特定の位置を中心として互いに点対称の位置関係にあればよい。
【００３８】
さらに、本願発明は、複数の端子部が必ずしもＬＥＤ数字表示器の上下両側縁部に沿って設けられている必要もなく、たとえばＬＥＤ数字表示器の左右両側縁部に沿って設けられていてもよい。また、上記複数の端子部は、パッド状に膜形成されたものに限らない。本願発明でいう端子部は、たとえば図８において従来例として説明したもののように、リードピンによって構成した端子部であってもよい。
【００３９】
その他、本願発明に係るＬＥＤ数字表示器の各部の具体的な構成は、種々に設計変更自在である。
【図面の簡単な説明】
【図１】本願発明に係るＬＥＤ数字表示器の一例を示す正面図。
【図２】図１に示すＬＥＤ数字表示器の側面図。
【図３】図１のＸ−Ｘ線要部拡大断面図。
【図４】図１に示すＬＥＤ数字表示器を構成する基板の一例を示す正面図。
【図５】図４の背面図。
【図６】図１に示すＬＥＤ数字表示器を上下反転させた状態を示す正面図。
【図７】本願発明に係るＬＥＤ数字表示器の他の例を示す正面図。
【図８】従来のＬＥＤ数字表示器の一例を示す斜視図。
【図９】従来のＬＥＤ数字表示器の他の例を示す正面図。
【図１０】従来のＬＥＤ数字表示器の他の例を示す正面図。
【符号の説明】
１  基板
２  反射ケース
３ａ〜３ｇ  発光セグメント
３ａ’〜３ｇ’  発光セグメント
５ａ〜５ｇ  個別端子部
５ａ’〜５ｇ’  個別端子部
５ｈ  コモン端子部
５ｈ’  コモン端子部
３１  ＬＥＤ発光素子
Ａ，Ａａ  ＬＥＤ数字表示器
【図１】
0003618846.tif 000002
【図２】
0003618846.tif 000003
【図３】
0003618846.tif 000004
【図４】
0003618846.tif 000005
【図５】
0003618846.tif 000006
【図６】
0003618846.tif 000007
【図７】
0003618846.tif 000008
【図８】
0003618846.tif 000009
【図９】
0003618846.tif 000010
【図１０】
0003618846.tif 000011